(57)【要約】【課題】スペーサの配置を施工現場で簡単に、かつ脱落することなく設置できるようにする。【解決手段】練り積み擁壁工において、擁壁ブロック３，３ａの控え尻の上面に穴１２を設けると共に、この穴に連通する溝１３を背後側に開放して設け、各段ごとの擁壁ブロックの背後に、棒状部の一端部に鈎状部を設けた鉄筋７を、この鉄筋の上記鈎状部７ｂを上記穴と溝に係合し、また棒状部７ａと裏型枠４との間に棒状部に係合したスペーサ６，１７を介装し、かつ各段ごとに棒状部を連結して配置し、上記各擁壁ブロックと裏型枠との間にコンクリートを打ち込んでなる構成になっている。【選択図】図１
2009013607.tif 000002
【特許請求の範囲】
【請求項１】
積み重ねる擁壁ブロックの背後に空間をあけて裏型枠を配置し、擁壁ブロックと裏型枠との間にコンクリートを打ち込むようにした練り積み擁壁工において、
擁壁ブロックの控え尻の上面に穴を設けると共に、この穴に連通する溝を背後側に開放して設け、各段ごとの擁壁ブロックの背後に、棒状部の一端部に鈎状部を設けた鉄筋を、この鉄筋の上記鈎状部を上記穴と溝に係合し、また棒状部と裏型枠との間に棒状部に係合したスペーサを介装し、かつ各段ごとに棒状部を連結して配置し、
上記各擁壁ブロックと裏型枠との間にコンクリートを打ち込んでなる
ことを特徴とする練り積み擁壁工。
【発明の詳細な説明】
【技術分野】
【０００１】
本発明は、練り積み擁壁工に関するものである。
【背景技術】
【０００２】
練り積み擁壁工は、基礎コンクリート上に積み重ねられる擁壁ブロックの背面と裏型枠との間に胴込め及び裏込めコンクリートを打ち込み固化して構築するが、このときに擁壁ブロックの背面と裏型枠との間に所定の空間を設けて確保された隙間内に上記コンクリートを充填するようにしている。
【０００３】
従来のこの種の擁壁工にあっては、上記空間を確保するために所定の長さの棒材からなるセパレータを用い、これの一端を擁壁ブロックの背面部に連結し、他端を裏型枠の上下方向の継目部に係合し、上記セパレータの長さ分の空間を確保するようにしている（例えば、特許文献１参照）。
【０００４】
また、長さ調整可能にしたセパレータの一端を擁壁ブロックの背面に設けた金具に、他端を裏型枠の表面に設けた金具にそれぞれ上下方向に回動可能にして連結し、上記空間を確保するようにしたものも知られている（例えば、特許文献２参照）。
【０００５】
【特許文献１】特許第３０１２９７３号公報
【特許文献２】特開２００６−３１２８３０号公報
【発明の開示】
【発明が解決しようとする課題】
【０００６】
上記背景技術の前者にあっては、一端を擁壁ブロックに連結したセパレータの他端は、裏型枠の継目という特定の位置に連結されていたため、このセパレータの設置位置が裏型枠の配列により拘束されてしまい、セパレータの設置作業を自由に行うことができなかった。
【０００７】
また、後者の背景技術にあっては、セパレータの両端を連結するために、擁壁ブロックの背面と裏型枠の表面のそれぞれに上記セパレータの各端部を連続するための連結金具を設けなければならないため、工数がかかるという問題がある。特に、擁壁ブロック側の連結金具を設置するための部材をインサートしなければならないため、この擁壁ブロックの成形コストが高くなるという問題もあった。
【０００８】
本発明は上記のことに鑑みなされたもので、棒材を裏型枠には連結せず、擁壁ブロックに付属して取り付けることができるようにして、この棒材を擁壁ブロックと裏型枠との間に施工現場にて簡単に、かつ脱落することなく設置できるようにした練り積み擁壁を提供しようとするものである。
【課題を解決するための手段】
【０００９】
上記目的を達成するために、本発明の練り積み擁壁は、積み重ねる擁壁ブロックの背後に空間をあけて裏型枠を配置し、擁壁ブロックと裏型枠との間にコンクリートを打ち込むようにした練り積み擁壁工において、擁壁ブロックの控え尻の上面に穴を設けると共に、この穴に連通する溝を背後側に開放して設け、各段ごとの擁壁ブロックの背後に、棒状部の一端部に鈎状部を設けた鉄筋を、この鉄筋の上記鈎状部を上記穴と溝に係合し、また棒状部と裏型枠との間に棒状部に係合したスペーサを介装し、かつ各段ごとに棒状部を連結して配置し、上記各擁壁ブロックと裏型枠との間にコンクリートを打ち込んでなる構成となっている。
【発明の効果】
【００１０】
本発明によれば、擁壁ブロックと裏型枠の間に配置する鈎状部を設けた鉄筋と、この鉄筋に係合するスペーサを施工現場にて簡単に、かつ脱落することなくコンクリートブロックに設置することができる。
【発明を実施するための最良の形態】
【００１１】
図１は本発明に係る練り積み擁壁工を示し、また図２は図１のＡ矢視図であり、図中１は基礎材、２はこの基礎材１の上にブロック支持面を法面と直角状に形成した基礎コンクリートである。そしてこの基礎コンクリート２のブロック支持面に１段目の擁壁ブロック３が、そしてこの１段目の擁壁ブロック３の上に２段目及び３段目の擁壁ブロック３ａ，３ａが積み重ねられるようになっている。そしてこの積み重ねられる各擁壁ブロック３，３ａ，３ａの背面と裏型枠４との間の空間５にスペーサ６を設けた鉄筋７が、これの棒部分７ａが法面と平行になるようにして各擁壁ブロック３，３ａ，３ａに取り付けて設けてある。
【００１２】
図２、図３は上記２段目以上の擁壁ブロック３ａを示すもので、この擁壁ブロック３ａは前面形状が横長の四角形になっている前壁８と、この前壁８の背面側に突設した控脚９とからなっている。図示した状態では、この控脚９を２箇所に設けた例を示したが、これは前壁８の横方向の大きさによっては１個所、あるいは３個所以上に設けたものもある。
【００１３】
２段目以上の擁壁ブロック３ａは図１に示すように、前壁８と控脚とは高さ方向に同一長さで、かつ前壁８に対して控脚９が斜め上方へずれた形状になっている。そして控脚９の傾斜部上面に係合突起１０が、また控脚９の傾斜部下面に、この係合突起１０が係合する穴が設けてある。
【００１４】
１段目の擁壁ブロック３は、基本的には上記２段目以上の擁壁ブロック３ａと同一であるが、図１に示すように、この１段目の擁壁ブロック３の下端が前壁８と直角状になっていて、その分控脚９の長さが２段目のものより長くなっている。
【００１５】
各擁壁ブロック３，３ａの控脚９，９の上端には、図４に示すように上記鉄筋７の先端部が嵌合する穴１２と、この穴１２に連通して背面側に開口する溝１３が設けてある。
【００１６】
鉄筋７は図５に示すように棒部分７ａの上端部に鈎状部７ｂを形成した形状になっていて、これの鈎状部７ｂの先端部が上記したように上記擁壁ブロック１の控脚９，９の穴１２に、この先端部に連なる部分が溝１３に密に嵌入可能になっている。棒部分７ａの長さは、上記２段目の擁壁ブロック３ａの控脚の長さより少し長く、１段目の擁壁ブロック３の控脚９の長さと略同一になっている。この鉄筋７には節の付いた異形鉄筋が望ましい。上記したように、この鉄筋７の棒部分７ａにプラスチックにて成形されたスペーサ６が軸方向に移動可能に嵌挿してある。
【００１７】
スペーサ６は図５、図６に示すようにリング状になっていて、半径方向に開口した溝部分６ａから中心部に設けた切り欠き穴６ａに棒部分７ａが弾性嵌合されるようになっている。このスペーサ６は、擁壁ブロック３，３ａの控脚９，９と裏型枠４との間の空間の幅に応じて複数の径のものが用いられる。
【００１８】
次に図１に示した練り積み擁壁工の施工について説明する。
【００１９】
まず基礎コンクリート２のブロック支持面上に１段目の擁壁ブロック３を載置し、これの控脚９にスペーサ６を取り付けた鉄筋７を取り付ける。このときの鉄筋７は、これの鈎状部７ｂの先端部を控脚９の穴１２にハンマで打ち込むと共に溝１３に嵌合する。この状態で棒部分７ａは、控脚９と略平行になって自立状に支持される。このときの鉄筋７の棒部分７ａの長さは、１段目の擁壁ブロック３の控脚９と同じ長さであるから、これの下端が基礎コンクリート２の上面に当接状態となる。そしてこの部分を、あらかじめ基礎コンクリート２に植設しておくか、後から打ち込んだ釘部材と鉄線等の紐体にて結合する。
【００２０】
この状態で鉄筋７のスペーサ６に１段目の裏型枠４を沿わせてから、この裏型枠４の裏側にこの１段目の裏方枠４の高さまで裏込材１４を打ち込む。
【００２１】
その後、この１段目の擁壁ブロック３の控脚９の両側に胴込めコンクリートを、また控脚９と裏型枠４の間の空間５に裏込めコンクリートを打ち込む。このときの裏込めコンクリートの打ち込みは、上記鉄筋７の上端部が露出する高さまでにする。
【００２２】
上記１段目の擁壁ブロック３での胴込め、裏込めの各コンクリートが固化してから、あるいは固化する前に、２段目の擁壁ブロック３ａを上記１段目の擁壁ブロック３上にそれぞれの控脚９が重なる状態にして積み重ねる。このとき２段目の擁壁ブロック３ａの控脚９の下面に設けてある凹部に１段目の擁壁ブロック３の控脚９の上面に設けた突起１０が係合して両ブロックは前後方向に連結される。
【００２３】
ついで上記１段目と同様に、２段目の擁壁ブロック３ａの控脚９に鉄筋７を取り付ける。そしてこのときの鉄筋７の棒部分７ａの長さが、この２段目の擁壁ブロック１の控脚３の長さより長いことにより、これの先端部が１段目の鉄筋７の上端部と重複される。そしてこの重複部を鉄線にてしばり付けて固定することにより上下の鉄筋７，７が連結される。
【００２４】
この状態で１段目と同様に鉄筋７のスペーサ６に２段目の裏型枠４を沿わせてから裏型枠４の裏側に裏込材１４を打ち込む。その後に、胴込めコンクリートと裏込めコンクリートを打ち込む。３段目の擁壁ブロック３ａも同様にして積み重ねる。
【００２５】
この実施の形態では、図１に示すように擁壁ブロックを３段以上の多段積みした例を示したが、１段あるいは２段積みであってもよいことはいうまでもない。
【００２６】
また、裏込めコンクリートを打ち込む空間５の幅は、スペーサ６の大きさによって決められるので、このスペーサ６を上記空間５の幅において複数の大きさのものを用意しておく。
【００２７】
またこの実施の形態にあっては、各段の擁壁ブロック３，３ａの練り積みのつど裏型枠４を引き抜いてもよい。
【００２８】
上記した実施の形態では、鉄筋７の棒部分７ａの空間５内の位置決めを、この棒部分７ａに嵌合するスペーサ６にて行う例を示したが、このスペーサは裏型枠４に固定してもよい。
【００２９】
図７、図８はその一例を示すもので、先端部に鉄筋７の棒部分７ａを付勢挟持する挟持部１５を形成する一対のばね板１６ａ，１６ｂからなるスペーサ１７を裏型枠４に固着した構成となっていて、これの挟持部１５に鉄筋７の棒部分７ａを挿入して挟持する。
【００３０】
また上記した実施の形態では、擁壁ブロック３，３ａが前壁８と控脚９とからなるものを用い、これの控脚９の上端部に鉄筋７の鈎状部７ｂを結合する例を示したが、控脚を設けない前壁部のみの擁壁ブロックを用い、この前壁部の控え尻の上端に鉄筋７の鈎状部７ｂを連結するようにしてもよい。
【図面の簡単な説明】
【００３１】
【図１】本発明に係る練り積み擁壁工を示す説明図である。
【図２】図１のＡ矢視図である。
【図３】２段目の擁壁ブロックを示す斜視図である。
【図４】控脚上部の拡大断面図である。
【図５】スペーサを嵌合した状態の鉄筋を示す正面図である。
【図６】スペーサを示す平面図である。
【図７】スペーサの他例を示す斜視図である。
【図８】スペーサの他例を用いた練り積み擁壁工を示す図１のＡ矢視図である。
【符号の説明】
【００３２】
１…基礎材、２…基礎コンクリート、３，３ａ…擁壁ブロック、４…裏型枠、５…空間、６，１７…スペーサ、６ａ…溝部分、６ｂ…切り欠き穴、７…鉄筋、７ａ…棒部分、７ｂ…鈎状部、８…前壁、９…控脚、１０…係合突起、１２…穴、１３…溝、１４…裏込材、１５…挟持部、１６ａ，１６ｂ…ばね板。
【図１】
2009013607.tif 000003
【図２】
2009013607.tif 000004
【図３】
2009013607.tif 000005
【図４】
2009013607.tif 000006
【図５】
2009013607.tif 000007
【図６】
2009013607.tif 000008
【図７】
2009013607.tif 000009
【図８】
2009013607.tif 000010